(57)【要約】【課題】植物を原料として高い効率で製造できると共に、長期間の保存が可能であり、植物を原材料として使用していることを商品力として利用できる染料及びその製造方法を提供することを目的とする。【解決手段】染料を植物の有色組織を乾燥した後、これを粗粉砕して製造する。植物の有色組織は花とすることができ、また花はバラとすることができる。乾燥は、凍結真空乾燥で行なうことが発色の点から望ましい。さらに、粗粉砕した粉体を５０％以上のエタノール水溶液又は無水エタノール中で微粉砕することにより、色素を抽出して染料を得る。【選択図】　　　　なし【特許請求の範囲】
【請求項１】
植物の有色組織を乾燥し、粉砕して粗粉体を製造し、該粗粉体を有機溶剤含有液中で粉砕して色素を抽出して製造した染料。
【請求項２】
有色組織の乾燥を真空凍結乾燥で行なう請求項１に記載の染料。
【請求項３】
有機溶剤含有液の有機溶剤はエタノールである請求項１又は請求項２に記載の染料。
【請求項４】
有機溶剤含有液は５０％以上のエタノール水溶液である請求項３に記載の染料。
【請求項５】
植物の有色組織は花である請求項１に記載の染料。
【請求項６】
植物の有色組織を乾燥し、粉砕して粗粉体を製造し、該粗粉体を有機溶剤含有液中で粉砕して色素を抽出する染料の製造方法。
【請求項７】
有色組織の乾燥を真空凍結乾燥で行なう請求項６に記載の染料の製造方法。
【請求項８】
有機溶剤含有液の有機溶剤はエタノールである請求項６又は請求項７に記載の染料の製造方法。
【請求項９】
有機溶剤含有液は５０％以上のエタノール水溶液である請求項８に記載の染料の製造方法。
【請求項１０】
植物の有色組織は花である請求項６に記載の染料の製造方法。
【請求項１１】
請求項１乃至請求項５に記載の染料をインク材料として使用した筆記用具。
【発明の詳細な説明】
【０００１】
【発明の属する技術分野】
本発明は、染料、染料の製造方法及び染料を使用した筆記用具に係り、特に植物を原料とした染料、染料の製造方法及び筆記用具に関する。
【０００２】
【従来の技術】
植物の花、葉などを染料として、布、糸などを染色することは草木染めとして古来よりよく行なわれている。これらは、温水などで花や葉等を煎じ、色素を抽出し、繊維等を染色するものである。
【０００３】
一方、香料の製造においては、媒質としてエタノールを使用し花等から芳香物質を抽出することが行われている。しかし、このような香料の製造においては、もっぱら芳香物質の抽出が効率良く行われる方法を用いているため、色素の抽出には適さない。
【０００４】
【発明が解決しようとする課題】
しかし、従来のように植物を水で煎じて抽出した色素で染色を行なうと、抽出される色素は原料である花等の量に比べ極めて少ないものとなり、原材料の量に対して染色できる製品の量が少なく、染色効率が良好ではないという問題がある。また、従来の染料の製造方法にあっては、染料としたとき色素の劣化が早いという問題がある。
【０００５】
本発明は、かかる実情に鑑みなされたものであり、植物を原料として高い効率で染料を製造できると共に、色素の劣化のない染料、染料の製造方法及び筆記用具を提供することを目的とするものである。
【０００６】
【課題を解決するための手段】
本発明は、花等の植物を乾燥し、粉砕して粗粉体を製造し、該粗粉体を有機溶剤含有液であるアルコール含有液中で粉砕して色素を抽出することにより、高い効率で染料を得ることができ、また植物の粗粉体を有機溶剤含有液であるアルコール含有液中で粉砕すると、色素を変色させずに所望の染料を得ることができるという本発明者の知見に基づきなされたものである。
【０００７】
発明者は、日本画の絵の具を自作し、この絵の具を用いて日本画の作品を制作している。これらの絵の具は身近にある鉱物等を最新の粉砕機で粉砕することにより作成しているが、鉱物などの素材が備えた色彩をそのまま十分に絵の具として使えるということを知見した。さらに発明者はこの知見に基づいて花を乾燥粉砕することにより、顔料を製造することができることを見いだした。
【０００８】
そこで、新たな試みとして、材料として植物の有色組織を用い染料を作成することを試してみたのである。この一連の流れのなかで、植物の着色組織を乾燥し、近年提供されている粉砕装置を使用して、粗粉砕した後、有機溶剤含有液中で粉砕して微分体とし、効率良く、且つ色素を劣化させることなく染料を抽出できることを見出したのである。
【０００９】
即ち、本発明は、植物の有色組織を乾燥し、粉砕して粗粉体を製造し、該粗粉体を有機溶剤含有液中で粉砕して色素を抽出して製造した染料及び染料の製造方法である。
【００１０】
本発明によれば、有機溶媒中で粉砕した植物の有色組織から効率よく色素を抽出して染料を製造することができる。前記粗粉体を有機溶剤含有液に混入した状態、あるいは有機溶剤含有液中で粉砕し色素を抽出した状態で密封して保存すれば長期間にわたり色素を安定的に保存できる。また、抽出した色素を含む染料はその溶媒を蒸発させて濃縮し、溶媒で薄めることにより、所望の濃度とすることができる。さらに、有機溶媒含有液で抽出された染料は長期間にわたり変色することがない。また、色素を抽出された粉体には残存する色素が含まれ、顔料として使用することができ、保存性に優れる。
【００１１】
また、本発明では、有色組織の乾燥を真空凍結乾燥で行なうことが望ましい。真空凍結乾燥によれば、植物の有色組織の色素を劣化させることなく乾燥させることができる。
【００１２】
さらに、本発明では、有機溶剤含有液のアルコールはエタノールであることが望ましい。エタノールは無害で入手し易く、また植物の有色組織
の色素を高い効率で抽出することができる。
【００１３】
さらにまた、本発明では、有機溶剤含有液は５０％以上のエタノール水溶液とすることが望ましい。エタノールの濃度は高いほど良好な結果を得ることができる。
【００１４】
そして、本発明は、前記染料をインク材料として使用した筆記用具である。本発明によれば、筆記用具から前記染料からなるインクで容易に所望の色により筆記することができ、商品に花のイメージを持たせ商品価値を高めることができる。
【００１５】
【発明の実施の形態】
以下、本発明の実施の形態を説明する。
染料の製造工程は以下のとおりである。本例ではバラの花を原料として用いる場合を説明する。尚、バラの花の他その他の花、葉を使用することができる。
【００１６】
まず、バラの花びらを収集する。花びらは生花として使用できず廃棄対象となるものであっても良く、品種は特に問わない。また、色は、赤、黄色、ピンク等任意である。
【００１７】
次に採集した花びらを乾燥する。乾燥は、以下の方法で行ないうる。
ｉ加熱乾燥（１００°Ｃ以下が望ましい）
ｉｉ熱風乾燥（１００°Ｃ以下が望ましい）
ｉｉｉ乾燥剤（シリカゲル）による乾燥
ｉｖ凍結真空乾燥（いわゆるフリーズドライ）
【００１８】
上記の乾燥方法の中では凍結真空乾燥による乾燥は、花びらの退色が少なく好ましい。凍結真空乾燥は、−４０℃のコールドトラップを備えた真空凍結乾燥器を用いて行った。重量は乾燥前の１０％程度となった。また、そこに含まれる灰分は５〜１０％以下である。
【００１９】
次に乾燥した花びらを粗粉砕する。粗粉砕はどのような粉砕装置を用いてもよく、所定の粒度（約１００μｍ程度）まで粉砕する。本例では、衝撃粉砕機（大阪ケミカル株式会社製ワンダーブレンダーＷＢ−１型）を用い、３０秒程度粉砕した。
【００２０】
粉砕した粗粉体（２０ｇ）を無水エタノール（３００ＣＣ）に混入し、さらに湿式で微粉砕する。微粉砕はどのような粉砕装置を用いてもよく、花の色素が無水エタノールに充分溶け出すまで行う。この例では、遊星ボールミル伊藤製作所製：ＰＯ１型）で粉砕した。さらに、遠心分離器で粉体と溶液とを分離して、上澄み溶液を染料として得た。この溶液及び残留粉体はバラの花びらの色彩を保っていた。
【００２１】
尚上記例では、無水エタノールを使用したが、５０％以上のアルコール水溶液の他、他のアルコール類等、所定の有機溶剤を使用することができる。
【００２２】
本例では、この染料を白色紙に塗布した。赤紫色の乾燥したバラの花びら（マンセル値７ＰＲ３／５〜８）から得た染料の場合赤紫色の染色をすることができた。（その色彩を測定したところマンセル値１０Ｐ６／６〜９であった。尚、マンセル値はミノルタ製ＣＲ２００色彩計によって測定した。）
【００２３】
また、無水エタノールで染料を抽出した場合、密閉状態下においては、長期間色彩の変化なしで保存できることが確認できた。さらにこの染料を含む溶液を加熱し、さらに濃い色の染料を得ることができた。
【００２４】
なお。本例では、バラの花びらを原料にして染料を作成したが、ハイビスカス、ブルーマルロー、りんどう、つつじ、芥子等の花、植物の葉、樹皮、紅茶などでも染料を作成することが可能である。また、染色の対象として、紙の他絹羊毛木綿等の繊維、木材、食品に使用することができる。
【００２５】
従来植物染色液を得る方法としては、植物材料をそのまま使い煎じる方法、一旦発酵させる方法があったが無駄が多かった。本例は、それらに比べ高い効率で染色液を得ることができた。
【００２６】
なお、染料は経時変化により、いずれ自然な退色がおこるであろうが、その程度は、他の一般的な有機合成染料、天然染料と同様と考えられる。発明者の実験では、濃赤、黄、葉を無水アルコール中で粉砕し、溶液を取り出した残りの粉体については、長期間経過後顕著な退色は認められず、この粉体を顔料として使用することができることが判明した。ただし、紙等に染色されたものについては、保存条件にもよるが、バラの場合さめやすいことが判明している。
【００２７】
【実施例】
本発明の多岐にわたる用途について、様々な植物の有色組織を様々な条件下での染料抽出実験を行いその発色の判定を行った。
【００２８】
（実施例１）
２種の乾燥粉体として、濃い赤紫のバラ、赤紫のバラの乾燥粉体を、それぞれ３種の溶媒として無水エタノール、７５％エタノール溶液、５０％エタノール溶液中で遊星ボールミル（伊藤製作所製：ＰＯ１型）で２０ｍｍアルミナボールを使用して毎分２００回転で３０分再粉砕し、遠心分離器で抽出液と粉体とに分離した。抽出液、抽出液を保温バットでアルコール等を蒸発させ２倍に濃縮したもの、粉体を紙に塗布し観察した。
【００２９】
すべての抽出液でそれぞれ鮮明な発色を得た。また、粉体については無水エタノール、７５％エタノール溶液を使用したものについては鮮明な発色を得た。５０％エタノール溶液で抽出したものについては、乾燥した時点で茶色く劣化した色彩となった。これは、水だけで抽出した場合と同じ現象であった。また、無水エタノール、で抽出した抽出液及び粉体を無水エタノール中で保存した場合半年以上色彩の変化は認められなかった。また、半年を経過した５０％溶液の色素は、彩度が１程度とさめた色になったが無水エタノールで保存された色素は、紙を染めた場合半年以上色彩の変化は認められなかった。
【００３０】
上記により、５０％以上のエタノール溶液を使用することにより、色素成分を使用することができ、残留した粉体を含めて有効に利用するためには、高濃度の得のエタノール中で保存することが望ましいことが解る。
【００３１】
（実施例２）
濃い赤紫、赤、濃いピンク、オレンジ色のバラ、松葉、銀杏の黄葉、もみじの紅葉、ポインセチアについて粗粉体を無水エタノールで抽出し、残った粉体と抽出した溶液と残った粉体とを紙に塗り色彩を確かめた。すべての資料についてそのイメージを残した色彩となった。
これにより、バラ以外の植物に本発明を適用できることが解る。
【００３２】
（実施例３）
染料としてバラの無水エタノールで抽出した抽出液を用い、絹、羊毛、木綿を染色した。各繊維においてその風合い及び色彩は良好であった。
【００３３】
（実施例４）
実施例３と同様の抽出液で木材を着色したところ、木材の材質感を残して着色できた。
実施例３，実施例４によって紙以外の材質について本発明に係る染料が有効であることが解る
（実施例５）
インクカートリッジ式の細字用フェルトペンのカートリッジに濃い紅のバラから無水アルコールで抽出した溶液をインクとして注入し紙に筆記した。色素の多くが還元された状態にあるので筆記直後は薄い色であったが、筆記後数秒で酸化して濃い色に発色した。
【００３４】
【発明の効果】
以上説明したように本発明によれば、植物を原料として染料を高い効率で染料抽出できると共に、長期間保存可能であるという効果をそうする他、植物を原材料として使用しているとして商品力を高めることができるという優れた効果を奏し得る。